(57)【要約】【課題】爪片が、バッテリパックの幅方向の中央部から片寄せされて配置されても、バッテリパックを浮かせない。【解決手段】携帯電話機は、キャビネット３上に、略矩形状のバッテリパック１が嵌まる凹部３０を形成し、該凹部３０の側縁部にはバッテリパック１を係止する爪片４が設けられている。該爪片４はバッテリパック１の幅方向の中央部Ｌから側方にずれて設けられている。凹部３０の底面にはバッテリパック１を上向きに付勢する端子６が設けられている。爪片４には、バッテリパック１を下向きに押す突起４２が設けられ、該突起４２によりバッテリパック１は中央部Ｌに対して爪片４とは反対側の側部が下がる向きに回動する。【選択図】　　図５
2004120140.tif 000002
【特許請求の範囲】
【請求項１】
キャビネット（３）上に、略矩形状のバッテリパック（１）が嵌まる凹部（３０）が形成され、該凹部（３０）の側縁部にはバッテリパック（１）を係止するロック機構が設けられ、該ロック機構はバッテリパック（１）の幅方向の中央部Ｌから側方にずれて設けられ、凹部（３０）の底面にはバッテリパック（１）を上向きに付勢する端子（６）が設けられた携帯電話機に於いて、
ロック機構は、バッテリパック（１）の一端部に嵌まる爪片（４）を具え、該爪片（４）には、バッテリパック（１）を下向きに押す突起（４２）が設けられ、該突起（４２）によりバッテリパック（１）は中央部Ｌに対してロック機構とは反対側の側部が下がる向きに回動することを特徴とする携帯電話機。
【請求項２】
キャビネット（３）上に、略矩形状のバッテリパック（１）が嵌まる凹部（３０）が形成され、該凹部（３０）の側縁部にはバッテリパック（１）を係止するロック機構が設けられ、該ロック機構はバッテリパック（１）の幅方向の中央部Ｌから側方にずれて設けられ、凹部（３０）の底面にはバッテリパック（１）を上向きに付勢する端子（６）が設けられた携帯電話機に於いて、
ロック機構は、バッテリパック（１）の一端部に設けられた凹み端面（１０）に嵌まる爪片（４）を具え、該凹み端面（１０）の周縁下端部には、爪片（４）の下面に接する突起（４２）が設けられ、該突起（４２）と爪片（４）の下面との接触によりバッテリパック（１）は中央部Ｌに対してロック機構とは反対側の側部が下がる向きに回動することを特徴とする携帯電話機。
【発明の詳細な説明】
【０００１】
【発明の属する技術分野】
本発明は、バッテリーパックが取り付けられる携帯電話機に関する。
【０００２】
【従来の技術】
従来の携帯電話機には、図７に示すものが知られている。これは、液晶パネル等の表示部（２０）を設けた第１キャビネット（２）と、多数の操作釦（３１）（３１）を配列した第２キャビネット（３）をヒンジ（２１）接続し、折り畳み可能に設けている（例えば、特許文献１参照）。
図８は、該携帯電話機を折り畳み、裏側から見た分解斜視図である。第２キャビネット（３）の裏側には、凹部（３０）が設けられ、該凹部（３０）内に略矩形状のバッテリパック（１）が嵌まる。第２キャビネット（３）上にて凹部（３０）の側縁部には、凹部（３０）に嵌まったバッテリパック（１）を係り止める爪片（４）がスライド可能に設けられ、該爪片（４）は、バッテリパック（１）の一端部に向かってバネ付勢されている。バッテリパック（１）の他端部には、突片（１１）（１１）が設けられており、該突片（１１）（１１）を凹部（３０）の側壁に開設された穴（図示せず）に挿入し、該突片（１１）（１１）を中心としてバッテリパック（１）を下向きに回動させる。バッテリパック（１）の下端部に押されて爪片（４）は一旦バネ付勢に抗して、バッテリパック（１）から逃げる。バッテリパック（１）の下端部が爪片（４）を通過すれば、爪片（４）とバッテリパック（１）は係合し、バッテリパック（１）は第２キャビネット（３）に取り付けられる。即ち、爪片（４）はバッテリパック（１）のロック機構を構成する。
【０００３】
【特許文献１】
特開２００２−２３２５２９号公報（第１図）
【０００４】
【発明が解決しようとする課題】
バッテリパック（１）は、凹部（３０）の下面に設けられた端子（６）に接し、該端子（６）によって上向きに付勢される。爪片（４）がバッテリパック（１）の幅方向の中央である仮想線Ｌ上に位置すれば、バッテリパック（１）の何れか一方の側部が浮き上がることは防止される。
しかし、近年、携帯電話機の多機能化に伴って、第１キャビネット（２）上に種々のディスプレイ等を設けた結果、第２キャビネット（３）の裏側にスピーカ（５）を設けざるを得ない機種が出現した。爪片（４）が仮想線Ｌ上に位置すれば、スピーカ（５）を配置するスペースがないから、爪片（４）を仮想線Ｌから何れか側方、図８では左側に設ける必要が生じた。従って、バッテリパック（１）の右側が浮いてしまい、端子（６）とバッテリパック（１）との接触が不安定になる。
この点について、図９に示すように、仮想線Ｌの両側に夫々爪片（４）（４）を設け、第２キャビネット（３）上の仮想線Ｌ上のスペースを広く設け、該スペースにスピーカ（５）を配置する構成も考えられる。しかし、これでは爪片（４）（４）が２つあるので、部品点数が増加し、各爪片（４）（４）とバッテリパック（１）を係合させる必要があるから、操作も面倒である。
本発明の目的は、ロック機構が、バッテリパック（１）の幅方向の中央部から片寄せされて配置されても、バッテリパック（１）を浮かせないことにある。
【０００５】
【課題を解決する為の手段】
ロック機構は、バッテリパック（１）の一端部に嵌まる爪片（４）を具え、該爪片（４）には、バッテリパック（１）を下向きに押す突起（４２）が設けられ、該突起（４２）によりバッテリパック（１）は中央部Ｌに対して爪片（４）とは反対側の側部が下がる向きに回動する。
【０００６】
【作用及び効果】
爪片（４）が中央部Ｌに対してずれていると、端子（６）によってバッテリパック（１）は、中央部Ｌに対して爪片（４）とは反対側の側部が浮き上がらんとする。しかし、突起（４２）によりバッテリパック（１）は中央部Ｌに対して爪片（４）とは反対側の側部が下がる向きに回動する。これにより、バッテリパック（１）の側部の浮き上がりは防止され、端子（６）とバッテリパック（１）との接触が安定する。
【０００７】
【発明の実施の形態】
以下、本発明の一例を図を用いて詳述する。本例にあっては、爪片（４）がバッテリパック（１）を、幅方向の中央部Ｌに対して爪片（４）とは反対側の側部が下がる向きに押すことを特徴とする。
図１は、携帯電話機の第２キャビネット（３）の裏側を示す分解斜視図である。従来と同様に、第２キャビネット（３）の裏面には、凹部（３０）が形成され、該凹部（３０）に矩形状のバッテリパック（１）が嵌まる。凹部（３０）の底面には、バッテリパック（１）に電気的に接する端子（６）が出没可能に設けられ、該端子（６）はバッテリパック（１）を上向きに弾性付勢する。爪片（４）は少なくとも幅方向の中央部が、バッテリパック（１）の幅方向の中央部である仮想線Ｌに対して左側にずれて設けられ、第２キャビネット（３）上にて仮想線Ｌ上に、スピーカ（５）が設けられる。
第２キャビネット（３）の裏面には、浮かせ突片（３２）、及びアンテナ（３３）が設けられている。第２キャビネット（３）を図１とは上下逆にして机面に置いた場合、即ちスピーカ（５）を机面に対向させて置いた場合でも、浮かせ突片（３２）及びアンテナ（３３）によって、スピーカ（５）は机面から離れ、スピーカ（５）からの音を聞くことができる。
【０００８】
図２（ａ）は、図１をＡ方向から見た図であり、図２（ｂ）は、図２（ａ）の左側面図である。バッテリパック（１）上にて、爪片（４）との対向箇所には凹み端面（１０）が設けられ、爪片（４）は凹み端面（１０）の周縁下端部を下向きに押す。
図３は、爪片（４）の斜視図であり、図４は図３をＢ−Ｂ線を含む面にて破断した断面図である。爪片（４）は、指で押される操作片（４０）と該操作片（４０）の下方に位置し凹み端面（１０）の周縁下端部を押す押さえ片（４１）とを具えている。押さえ片（４１）の先端部は、操作片（４０）の先端部よりもバッテリパック（１）側に位置し、操作片（４０）はバッテリパック（１）には嵌まらない。
押さえ片（４１）の上面隅部には、斜面（４４）が形成され、バッテリパック（１）を凹部（３０）に装着するときは、前記の如く、バッテリパック（１）の下端部が斜面（４４）を押して、爪片（４）を一旦バッテリパック（１）から離れる向きに押す。バッテリパック（１）の下端部が斜面（４４）を通過すると、爪片（４）は後記の押しバネ（３４）により元の位置に復帰し、爪片（４）とバッテリパック（１）とが係合する。
操作片（４０）の上面には、矢印（４３）が付され、使用者は操作片（４０）を矢印（４３）の先端に向けて押すと、バッテリパック（１）と爪片（４）との係合が外れて、バッテリパック（１）を第２キャビネット（３）から取り出すことができる。
【０００９】
図４に示すように、爪片（４）は第２キャビネット（３）内に設けられた押しバネ（３４）によってバッテリパック（１）に向けて付勢され、押さえ片（４１）が凹み端面（１０）に嵌まる。
図５は、図３をＣ方向から見た断面図である。押さえ片（４１）の下面右端部には、突起（４２）が設けられ、該突起（４２）が凹み端面（１０）の周縁下端部を下向きに押す。図５に示すように、バッテリパック（１）は押さえ片（４１）の左端部と凹み端面（１０）の周縁部との接点Ｄを中心として、時計方向に回動し、中央部Ｌに対して右側の側部が下降する。
爪片（４）は幅方向の中央部が、バッテリパック（１）の中央部Ｌに対して左側に片寄せされているから、バッテリパック（１）は端子（６）の付勢力によって右側の側部が浮き上がらんとする。しかし、突起（４２）によってバッテリパック（１）は右側の側部が下降するから、バッテリパック（１）の右側の側部が浮き上がることは防止される。これにより、爪片（４）を中央部Ｌからずれた位置に配備しても、端子（６）とバッテリパック（１）の接触は安定する。爪片（４）は、１つで済むから、部品点数も増加しないし、取付け作業工程も増加しない。更に、爪片（４）のワンタッチ操作で、バッテリパック（１）を着脱できるので、操作性がよい。
【００１０】
本例にあっては、突起（４２）によりバッテリパック（１）は中央部Ｌに対して爪片（４）とは反対側の側部が下がる向きに回動する。従って、爪片（４）が中央部Ｌに対して右側に設けられているときは、突起（４２）を押さえ片（４１）の下面左端部に設ければよい。
また、第２キャビネット（３）上にて、バッテリパック（１）の幅方向の中央部Ｌ上に配備される部品として、スピーカ（５）を例示したが、これに限定されない。例えば、カメラ素子、振動報知用バイブレータ、ＬＣＤでもよい。
更に、突起（４２）は図３に一点鎖線で示すように、係合すべき凹み端面（１０）に向かって突出し、凹み端面（１０）との係り代を大きく設けてもよい。突起（４２）と凹み端面（１０）の周縁部との係り代が大きくなれば、バッテリパック（１）はより安定して側部が下向きに下がる。
また、図６に示すように、バッテリパック（１）の凹み端面（１０）の周縁下端部に突起（４２）を設け、爪片（４）の押さえ片（４１）の下面にて、突起（４２）を押してもよい。これによっても、バッテリパック（１）は時計方向に回動し、中央部Ｌに対して右側の側部が下降する。
【００１１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】携帯電話機の第２キャビネットの裏側を示す分解斜視図である。
【図２】（ａ）は、図１のバッテリパックをＡ方向から見た図であり、（ｂ）は、（ａ）の左側面図である。
【図３】爪片の斜視図である。
【図４】図３をＢ−Ｂ線を含む面にて破断した断面図である。
【図５】図３をＣ方向から見た断面図である。
【図６】別の実施例に於ける断面図である。
【図７】従来の携帯電話機の斜視図である。
【図８】従来の携帯電話機を折り畳み、裏側から見た分解斜視図である。
【図９】別の従来の携帯電話機の分解斜視図である。
【符号の説明】
（１）　　バッテリパック
（２）　　第１キャビネット
（３）　　第２キャビネット
（４）　　爪片
（５）　　スピーカ
（３０）　　凹部
（４２）　　突起
【図１】
2004120140.tif 000003
【図２】
2004120140.tif 000004
【図３】
2004120140.tif 000005
【図４】
2004120140.tif 000006
【図５】
2004120140.tif 000007
【図６】
2004120140.tif 000008
【図７】
2004120140.tif 000009
【図８】
2004120140.tif 000010
【図９】
2004120140.tif 000011